(57)【要約】【課題】上部と下部での植物の生育に差が生じないと共に、適度な保水性と通気性の両方を確保することができ、植物の良好な生育が得られる緑化植裁用貯水部材とこれを用いた植裁装置を提供する。【解決手段】緑化用植裁装置１が、ハウジング２と、このハウジング２内に収納した緑化植裁用の貯水部材３と、同じくハウジング２内で貯水部材３の前面側に収納される植物育成用の培土Ａとからなり、上記貯水部材３が、シート９に多数の貯水容器部１０を設けて形成されている。【選択図】　　図２
2004041095.tif 000002
【特許請求の範囲】
【請求項１】
不透水性シート又は浸透水性シートに上端部が開口する多数の貯水容器部を並べて設けた緑化植裁用貯水部材。
【請求項２】
不透水性シート又は浸透水性シートに端部が開口する多数の貯水容器部と、この貯水容器部と異なる位置に気水通過孔とを設けた緑化植裁用貯水部材。
【請求項３】
上記不透水性シート又は浸透水性シートに設けた気水通過孔の一面側に、この気水通過孔を覆う気水通過部材を配置した請求項２に記載の緑化植裁用貯水部材。
【請求項４】
前面が開放したハウジングと、このハウジング内に収納した緑化植裁用貯水部材と、同じくハウジング内で緑化植裁用貯水部材の前面側に収納される植物育成用の培土とからなり、上記緑化植裁用貯水部材が、不透水性シートに上端部が開口する多数の貯水容器部を設けて形成されている緑化用植裁装置。
【請求項５】
前面が開放したハウジングと、このハウジング内に収納した緑化植裁用貯水部材と、同じくハウジング内で緑化植裁用貯水部材の前面側に収納される通気通水部材及び、この通気通水部材の前面側に収納される植物育成用の培土とからなり、上記緑化植裁用貯水部材が、不透水性シートに上端部が開口する多数の貯水容器部を設けて形成されている緑化用植裁装置。
【請求項６】
前面が開放したハウジングと、このハウジング内に収納した緑化植裁用貯水部材と、同じくハウジング内で緑化植裁用貯水部材の前面側に収納される通気通水部材及び、この通気通水部材の前面側に収納される植物育成用の培土とからなり、上記緑化植裁用貯水部材が、不透水性シートに上端部が開口する多数の貯水容器部と、この貯水容器部と異なる位置に気水通気孔とを設けて形成され、上記シートに設けた気水通過孔の一面側に、この気水通過孔を覆う気水通過部材を配置した緑化用植裁装置。
【請求項７】
前面が開放したハウジングの培土上に培土の崩落防止用のネット又は格子板等を設けた請求項４乃至６に記載の緑化用植裁装置。
【請求項８】
前面が開放したハウジングの培土上から適宜一定間隔を設けて培土並びに植物の崩落防止用の格子板等を設けた請求項４乃至６に記載の緑化用植裁装置。
【発明の詳細な説明】
【０００１】
【発明の属する技術分野】
この発明は、各種構造物の壁面等に立てかけた配置や、屋上、地面等に水平に設置して植物を植え込むことにより、照し返し防止などの温暖化現象の緩和と軽減、ＣＯ２の削減や大気浄化のほか、景観や環境の改善を図ることができようにするための緑化植裁用貯水部材とこれを用いた植裁装置に関する。
【０００２】
【従来の技術】
近年、地球温暖化現象やＣＯ２の増加による大気汚染が大きな社会問題となっている。
【０００３】
その対策の一つとして植物の植裁による緑化が有効な手段であることはすでに知られており、国や地方自治体では都市域での緑化を進める施策がとられている。
【０００４】
従来、都市域での建物や各種構造物を利用した緑化の方法としては、上面開放ケース内に培土を入れ、その表面をネット状部材で覆った植裁マットを形成し、これを建物の屋上や壁面に並べて敷設し、培土で植物を育成することにより緑化を行うようにしている。
【０００５】
【発明が解決しようとする課題】
ところで、上記従来の植裁マットは、単に建物の屋上や壁面に並べて敷設する構造になっているため、壁面等に立てかけて用いた場合、上部と下部での保水性に差が生じ、降雨や灌水による水分はすぐに下部へ流出し、どうしても上部が水不足の状態になり、上部と下部で植物の生育に差が生じ、特に上部の植物がすぐに枯れてしまうという問題がある。
【０００６】
また、植物の育成するための培土には、適度な保水性と通気性の両方の確保が必要になるが、従来の植裁マットでは、保水性を重視すると通気性が悪くなり、根枯れが発生すると共に、通気性を確保すると水不足の状態になり、同じく植物が枯れてしまうことになる。
【０００７】
そこでこの発明の課題は、壁面等に立てかけて用いても上下での植物の生育に差が生じないと共に、平面的な設置状態でも使用でき、しかも適度な保水性と通気性の両方を確保することができ、植物の良好な生育が得られる緑化植裁用貯水部材とこれを用いた植裁装置を提供することにある。
【０００８】
【課題を解決するための手段】
上記のような課題を解決するため、第１の発明は、不透水性シート又は浸透水性シートに上端部が開口する多数の貯水容器部を並べて設けた構成を採用したものである。
【０００９】
同第２の発明は、不透水性シート又は浸透水性シートに上端部が開口する多数の貯水容器部と、この貯水容器部と異なる位置に気水通過孔とを設けた構成を採用したものである。
【００１０】
同第３の発明は、第２の発明において、上記不透水性シート又は浸透水性シートに設けた気水通過孔の一面側に、この気水通過孔を覆う気水通過部材を配置した構成を採用したものである。
【００１１】
上記のように、シートに多数の貯水容器部を並べて設けた緑化植裁用貯水部材は、箱状のハウジング内に収納して植裁装置とするほか、土壌内に直接埋設して使用することができる。
【００１２】
第４の発明は、前面が開放したハウジングと、このハウジング内に収納した緑化植裁用貯水部材と、同じくハウジング内で緑化植裁用貯水部材の前面側に収納される植物育成用の培土とからなり、上記緑化植裁用貯水部材が、不透水性シートに上端部が開口する多数の貯水容器部を設けて形成されている構成を採用したものである。
【００１３】
第５の発明は、前面が開放したハウジングと、このハウジング内に収納した緑化植裁用貯水部材と、同じくハウジング内で緑化植裁用貯水部材の前面側に収納される通気通水部材及び、この通気通水部材の前面側に収納される植物育成用の培土とからなり、上記緑化植裁用貯水部材が、不透水性シートに上端部が開口する多数の貯水容器部を設けて形成されている構成を採用したものである。
【００１４】
同第６の発明は、前面が開放したハウジングと、このハウジング内に収納した緑化植裁用貯水部材と、同じくハウジング内で緑化植裁用貯水部材の前面側に収納される通気通水部材及び、この通気通水部材の前面側に収納される植物育成用の培土とからなり、上記緑化植裁用貯水部材が、不透水性シートに上端部が開口する多数の貯水容器部と、この貯水容器部と異なる位置に気水通気孔とを設けて形成され、上記シートに設けた気水通過孔の一面側に、この気水通過孔を覆う気水通過部材を配置した構成を採用したものである。
【００１５】
同じく第７と第８の発明は、前面が開放したハウジングの培土上又は培土上から一定間隔を設けて培土や植物の崩落防止用の格子板等を設けた構成を採用したものである。
【００１６】
上記において、ハウジングは、板等を用いて箱状に形成され、底面又は側面が通気通水の可能な構造になっていると共に、緑化植裁用貯水部材は、起立状態での使用に対応する場合、シートの一面側において、貯水容器部が上端で開口する容器に形成され、雨水や灌水をその内部に貯えることができるようになっていると共に、この貯水容器部の上部に直接もしくは、シートの他面側に貯水容器部内に雨水や灌水を誘導するための受水板を設けることかできる。また、受水板は培土の崩落防止にも利用される。
【００１７】
また、緑化植裁用貯水部材は、水平状態での使用に対応する場合、貯水容器部がシートの上面で開口するようシートの下面側に突出する容器に形成されている。
【００１８】
上記通気通水部材は、通水性と保水性及び通気性のあるものであれば、繊維、多孔質陶器、不織布、紙、保水ポリマー等の中から選択して用いればよく、気水通過部材も通水性と保水性及び通気性のある構造を有し、培土や通気通水部材に対して突出するような構造になっている。
【００１９】
【発明の実施の形態】
以下、この発明の実施の形態を図示例と共に説明する。
【００２０】
図１乃至図４に示す第１の実施の形態の緑化用植裁装置１は、縦置きや傾斜状に配置して使用する例であり、角形で箱状のハウジング２と、このハウジング２内に収納する緑化植裁用の貯水部材３と、貯水部材３の両面に重ねて配置した通気通水部材４、５と、通気通水部材５の前面側に入れる培土Ａとで形成されている。
【００２１】
上記ハウジング２は、板等を用いて前面と背面が開放する上下に長い箱形の枠状に形成され、背面の開口にネット６を張設すると共に、四周壁には複数の通気通水孔７が設けらけている。
【００２２】
上記通気通水部材４、５は、通水性と保水性及び通気性のあるのものであれば、繊維、多孔質陶器、不織布、紙、保水ポリマー等の中から選択して用いればよく、図１と図２では、ハウジング２内に納まる大きさのシート状に形成したものを用いた例を示している。
【００２３】
また、図４（Ａ）の例では、シート状の通気通水部材４、５と保水ポリマー８等を組み合わせ使用し、ハウジング２内の底部にシート状の通気通水部材４を敷設し、その前面に貯水部材３を重ねた後、貯水部材３の前面側に保水ポリマー８等を充填し、更にその前面側にシート状の通気通水部材５を重ねた後、培土Ａを充填するようにしたものである。
【００２４】
更に、図４（Ｂ）の例は、ハウジング２内の底部に保水ポリマー８等を適宜の厚みに並べ、この保水ポリマー８等の前面にシート状の通気通水部材４と貯水部材３を順に重ね、貯水部材３の前面側に保水ポリマー８等を充填し、更にその前面側にシート状の通気通水部材５を重ねた後、培土Ａを充填するようにしたものである。
【００２５】
上記貯水部材３は、ハウジング２内に納まる大きさに形成した不透水性シート又は浸透水性シート９の前面側に、上端部が開口する多数の貯水容器部１０を縦横に並べて突設し、各貯水容器部１０が雨水や灌水を貯えるようになっており、このシート９と貯水容器部１０は、合成樹脂等を用いて一体成形されている。
【００２６】
尚、貯水容器部１０の材質によっては水の重力による漏水又は浸透圧により貯水容器部より培土を湿潤させる。
【００２７】
この貯水部材３のシート９には、図示の場合、貯水容器部１０と異なる位置に気水通過孔１１を設けたが、気水通過孔１１を省いた構造を採用してもよい。
【００２８】
図３（Ａ）乃至（Ｃ）は貯水部材３の異なった幾つかの例を示し、図３（Ａ）の貯水部材３は、シート９の前面側に、上端部が開口する多数の貯水容器部１０を、上下に一定の間隔で横方向に交互に段違いで配置し、各貯水容器部１０の上部に気水通過孔１１を設けた構造になっている。
【００２９】
図３（Ｂ）の貯水部材３は、シート９の前面側に、上端部が開口する多数の貯水容器部１０を、上下に一定の間隔で横方向へ交互に段違いで配置し、各貯水容器部１０の上部位置に気水通過孔１１を設け、各貯水容器部１０の上端に皿状の受水板１２を突設し、貯水容器部１０への雨水や灌水の取り込みがより確実に行えるようにした構造になっている。尚、受水板は培土崩落防止としても機能する。
【００３０】
図３（Ｃ）の貯水部材３は、基本構造が図３（Ａ）と同一であるが、シート９の背面側で各気水通過孔１１の下縁に受水板１２を斜め上向きに突設し、貯水容器部１０への雨水や灌水の取り込みが背面側から行えるようにした構造になっている。
【００３１】
この図３（Ｃ）の例において、一枚のシート９に貯水容器部１０と受水板１２を設けたが、図３（Ａ）の貯水部材３と、気水通過孔１１の下縁に受水板１２を突設した別のシートを重ね合わせることによって、図３（Ｃ）の例と同様の貯水部材３を形成することができる。
【００３２】
第１の実施の形態の緑化用植裁装置１は、上記のような構成であり、次に、その使用の方法を説明する。
【００３３】
図２のように、ハウジング２内に、通気通水部材４、貯水部材３、通気通水部材５を順に収め、通気通水部材５の前面に培土Ａを充填した緑化用植裁装置１を、建物の立ち上がり壁等に取り付けて傾斜する起立状に配置し、上記培土Ａに種子を蒔くか植物Ｂを植え込んでおく。
【００３４】
上記培土Ａに対して浸透した雨水や灌水は、各貯水容器部１０に貯留され、植物Ｂの根が貯水容器部１０に達し浸透することにより、培土Ａが乾燥したような場合でも植物Ｂに水分を供給することができ、水分不足による枯れの発生を防ぐことができる。
【００３５】
各貯水容器部１０は、緑化用植裁装置１の上下均等した配置となるので、緑化用植裁装置１の上部においても、培土Ａに対する保水状態を維持することができ、培土Ａが上部から乾燥して上部の植物Ｂから水不足により枯れるというようなことがなくなり、上下で植物Ｂの生育に差が生じないことになる。
【００３６】
また、埋設した通気通水部材４、５は、その保水性により、土壌内に水分を保持し、培土Ａの乾燥発生を防ぐと共に、この通気通水部材４、５により、土壌内の通気性を確保することができ、これにより、土壌内の温度上昇等を抑え、細菌等の発生を防止して根枯れを防ぐことができる。
【００３７】
ここで、貯水部材３のシート９に通気通水孔１１を設けておくと、雨水や灌水を背面側の通気通水部材４でも保持することになり、培土Ａの乾燥発生を防ぐことになる。
【００３８】
また、シート９に通気通水孔１１のない貯水部材３を使用した場合、培土Ａに浸透した雨水や灌水は、貯水部材３で背面側に対して遮水されることになるが、ハウジング２の周囲に設けた通気通水孔７から余剰水分が流出するので、培土Ａの過度な湿潤状態の発生はない。尚、通気通水部材５を使用しないで培土と貯水部材３のシートに直接接合する事もできる。
【００３９】
尚図２で図示を省略しているが、培土Ａ又は植物Ｂが風圧等により崩落を防止するため、培土Ａ上又は培土Ａ上から適宜一定間隔を設けて格子板等を設置する。
【００４０】
次に、図５乃至図７に示す第２の実施の形態の緑化用植裁装置２１は、水平置きに配置して使用する例であり、角形の箱状のハウジング２２と、このハウジング２２内に収納する緑化植裁用の貯水部材２３と、貯水部材２３の上面に重ねて配置した通気通水シート２４と、通気通水シート２４の上面に入れる培土Ａとで形成されている。
【００４１】
上記ハウジング２２は、板等を用いて前面が開放する箱形の枠状に形成され、四周壁には複数の通気通水孔２５が設けられている。
【００４２】
上記貯水部材２３は、ハウジング２２内に納まる大きさに形成したシート２６の下面側に、上端がシート２６の上面が開口する多数の貯水容器部２７を並べて突設し、各貯水容器部２７が雨水や灌水を貯えるようになっており、このシート２６と貯水容器部２７は、不透水性の合成樹脂等を用いて一体成形されている。
【００４３】
上記通気通水シート２４は、通水性と通気性のあるものであれば、繊維、多孔質陶器、不織布、紙等の中から選択して用いればよく、ハウジング２２内に納まる大きさのシート状に形成したものを用い、ネット状にして全体が通水性と通気性を有してもよいが、図示の場合は、不透水性の合成樹脂材料等を用い、貯水部材２３に重ねた時、貯水容器部２７と対応する部分だけに通水性と通気性のある通水部２８を形成し、雨水や灌水の貯水容器部２７への貯留を可能にした例を示している。
【００４４】
また、図５の例では、通気通水シート２４の上面で通水部２８と異なる位置に、内部中空の容器状に形成され、多数の透孔（図５（Ａ））やスリット（図５（Ｂ））で通水性と通気性が付与された気水通過部材２９を突設し、貯水部材２３のシート２６には気水通過部材２９と連通する気水通過孔３０が設けてある。
【００４５】
図６（Ａ）と（Ｂ）の例は、上記通気通水シート２４に代えて、貯水部材２３の上面に、通水性と通気性のあるシート状の保水部材３１を積層したものであり、貯水部材２３の上面で貯水容器部２７と異なる位置に、気水通過部材２９を上方に突設し、各気水通過部材２９内の下端はシート２６を貫通する気水通過孔３０ａとすると共に、上記保水部材３１には、各気水通過部材２９と対応する位置に嵌合孔３２が設けてある。
【００４６】
この第２の実施の形態の緑化用植裁装置２１は、上記のような構成であり、水平に設置したハウジング２２内に、貯水部材２３と通気通水シート２４、図６の例では、更に保水部材３１を順に重ねて収納し、その上部に培土Ａを充填して緑化用植裁装置１を形成し、培土Ａに種子を蒔くか植物Ｂを植え込んでおく。尚、ハウジング２２が無くても重ねセットのみで使用する事もできる。
【００４７】
上記培土Ａに対して浸透した雨水や灌水は、貯水部材２３の各貯水容器部２７に貯留され、植物Ｂの根が貯水容器部２７の湿潤により、培土Ａが乾燥したような場合でも植物Ｂに水分を供給することができ、水分不足による枯れの発生を防ぐことができる。
【００４８】
また埋設した通気通水シート２４は、その気水通過部材２９が培土Ａ内に突出することにより、培土Ａ内の通気性を維持することになり、これにより、培土Ａ内の温度上昇を抑え、細菌の発生を防止し、根枯れ等を防ぐことができる。
【００４９】
更に、保水部材３１を組み合わせ使用すると、その保水性により、土壌内に水分を保持し、培土Ａの乾燥発生をなくすことにより、水不足による枯れの発生を防ぐことができる。又、保水部材３１を使用しないで培土をじかに使用する事もできる。
【００５０】
なお、各実施の形態における貯水部材３や２３等は、ハウジング２や２２との組み合わせ使用以外に、地面等に直接埋め込むことにより、単独で使用することができると共に、第２の実施の形態で示した通気通水シート２４の気水通過部材２９を、第１の実施の形態のシート９に適用することは当然可能である。
【００５１】
【発明の効果】
以上のように、この発明によると、上記のような構成としたので、土壌に適度な保水性と通気性の両方を確保することができ、貯水容器部に雨水や灌水を貯留することにより、水不足の発生を解消することで、植物の良好な生育が得られることになる。
【００５２】
また、貯水部材は、上下に多数の貯水容器部を並べて設けることにより、立てかけて用いた場合、上下の貯水容器部が共に雨水や灌水を貯留することができ、これによって上下での植物の生育に差が生じないようにすることができる。
【図面の簡単な説明】
【図１】この発明の第１の実施の形態の植裁装置を示す分解斜視図
【図２】同上における植裁装置を斜めに起立配置した状態を示す縦断正面図
【図３】（Ａ）乃至（Ｃ）のそれぞれは貯水部材における貯水容器部の異なった例を示す斜視図
【図４】（Ａ）は第１の実施の形態の植裁装置において通気通水部材と保水ポリマーを組み合わせて使用した例を示す縦断正面図、（Ｂ）は同上の他の例を示す縦断正面図
【図５】（Ａ）はこの発明の第２の実施の形態の植裁装置を示す分解斜視図、（Ｂ）は同上の組み立て状態の縦断正面図
【図６】（Ａ）はこの発明の第２の実施の形態の植裁装置を示す他の例の分解斜視図、（Ｂ）は同上の組み立て状態の縦断正面図
【図７】図５（Ｂ）の一部切り欠き平面図
【符号の説明】
１　　　緑化用植栽装置
２　　　ハウジング
３　　　貯水部材
４　　　通気通水部材
５　　　通気通水部材
６　　　ネット
７　　　通気通水孔
８　　　保水ポリマー
９　　　不透水性シート
１０　　貯水容器部
１１　　気水通過孔
１２　　受水板
２１　　緑化用植裁装置
２２　　ハウジング
２３　　貯水部材
２４　　通気通水シート
２５　　通気通水孔
２６　　シート
２７　　貯水容器部
２８　　通水部
２９　　気水通過部材
３０　　気水通過孔
３１　　保水部材
３２　　嵌合孔
Ａ　　　培土
Ｂ　　　植物
【図１】
2004041095.tif 000003
【図２】
2004041095.tif 000004
【図３】
2004041095.tif 000005
【図４】
2004041095.tif 000006
【図５】
2004041095.tif 000007
【図６】
2004041095.tif 000008
【図７】
2004041095.tif 000009